(57)【要約】【課題】指定時刻にアラームを鳴動し、現在時刻及び／又は指定時刻のいずれかを記入面に表示し、現在時刻及び／又は指定時刻を記入面に表示し或いは表示しないようにできるタイマー表示機能付ホワイトボードを提供すること。【解決手段】記入面１、記入面読取部２、時刻表示部３、タイマー、各種の設定を行なう操作部４、印字出力部５を備え、タイマーのタイマー設定部３０により、指定時刻を設定して指定時刻にアラームを鳴動させる機能、及びアラーム鳴動を解除する機能を有し、操作部４により、記入面１に現在時刻及び／又は指定時刻のいずれを表示するかを選択設定する機能、及び現在時刻及び／又は指定時刻を記入面に表示するのか否かを選択設定する機能を有する。【選択図】        図１
2005024425.tif 000002
【特許請求の範囲】
【請求項１】
記入面、記入面読取部、時刻表示部、タイマー、各種の設定を行なう操作部、印字出力部を備えたタイマー表示機能付ホワイトボードにおいて、
タイマーのタイマー設定部により指定時刻を設定し、指定時刻にアラームを鳴動させる機能、及びタイマーのタイマー設定部によりアラーム鳴動を解除する機能を有することを特徴とするタイマー表示機能付ホワイトボード。
【請求項２】
操作部により現在時刻の印字表示位置、文字の大きさとフォントを自由に選択設定する機能、及び画像印刷時に印字出力部により前記選択設定された文字の大きさとフォントで現在時刻をコピー紙の選択設定された位置に印字表示する機能を有することを特徴とする請求項１に記載のタイマー表示機能付ホワイトボード。
【請求項３】
操作部により記入面に現在時刻及び／又は指定時刻のいずれを表示するかを選択設定する機能を有し、指定時刻を選択した場合に、指定時刻又は指定時刻までの残り時間のいずれを記入面に表示するかを選択設定する機能を有することを特徴とする請求項１又は請求項２に記載のタイマー表示機能付ホワイトボード。
【請求項４】
操作部により現在時刻及び／又は指定時刻を記入面に表示するのか否かを選択設定する機能を有することを特徴とする請求項１又は請求項２又は請求項３に記載のタイマー表示機能付ホワイトボード。
【請求項５】
現在時刻を電波時計により受信し、タイマーに設定する機能を有することを特徴とする請求項１乃至請求項４のいずれか１項に記載のタイマー表示機能付ホワイトボード。
【発明の詳細な説明】
【０００１】
【発明の属する技術分野】
本発明は、タイマー表示機能付ホワイトボードに関する。
【０００２】
【従来の技術】
ホワイトボード、操作手段、日時表示部、カレンダ時計、操作部、印刷手段、カレンダ時計のバッテリバックアップ手段等を備え、コピー紙にホワイトボードに書込まれた画像とともに現在の日時を印刷するようにしたコピーボード装置が提案されている（例えば、特許文献１参照）。
【０００３】
【特許文献１】
実開平５−４３６５７号公報
【０００４】
【発明が解決しようとする課題】
しかしこの公報で提案されているコピーボード装置では、タイマー機能（指定時刻設定機能）を備えておらず、またコピー紙への現在の日時の印字表示位置、文字の大きさ・フォントについては考慮されておらず、現在時刻をホワイトボードに表示するのか否かの選択も行なわれてなく、カレンダ時計の精度向上についても考慮されていない。
【０００５】
本発明はこのような点に鑑みなされたもので、タイマー機能（指定時刻設定機能）、コピー紙への現在の印字表示位置、文字の大きさとフォントについて自由に選択設定する機能、現在時刻及び／又は指定時刻のいずれを記入面に表示するのかを選択設定する機能、現在時刻及び／又は指定時刻を記入面に表示するのか否かを選択設定する機能を備え、さらにタイマーの精度向上を図るようにしたタイマー表示機能付ホワイトボードを提供することを目的とする。
【０００６】
【課題を解決するための手段】
上記目的を達成するために、本発明のタイマー表示機能付ホワイトボードは、記入面１、記入面読取部２、時刻表示部３、タイマー、各種の設定を行なう操作部４、印字出力部５を備え、タイマーのタイマー設定部３０により指定時刻を設定し、指定時刻にアラームを鳴動させる機能、及びタイマーのタイマー設定部３０によりアラーム鳴動を解除する機能を有することを特徴とする。
【０００７】
また上記において、操作部４により現在時刻の印字表示位置、文字の大きさとフォントを自由に選択設定する機能、及び画像印刷時に印字出力部５により前記選択設定された文字の大きさとフォントで現在時刻をコピー紙６の選択設定された位置に印字表示する機能を有することを特徴とする。
【０００８】
また上記において、操作部４により記入面１に現在時刻及び／又は指定時刻のいずれを表示するかを選択設定する機能を有し、指定時刻を選択した場合に、指定時刻又は指定時刻までの残り時間のいずれを記入面１に表示するかを選択設定する機能を有することを特徴とする。
【０００９】
さらに上記において、操作部４により現在時刻及び／又は指定時刻を記入面１に表示するのか否かを選択設定する機能を有することを特徴とする。
さらにまた現在時刻を電波時計により受信し、タイマーに設定する機能を有することを特徴とする。
【００１０】
【発明の実施の形態】
本発明の実施の形態を実施例にもとづき図面を参照して説明する。
図１はタイマー機能付ホワイトボードの外観図である。
１は記入面で、文字、記号、図形等が記入される。２は記入面１に記入された文字、記号、図形等の画像を読取る記入面読取部、３は時刻表示部で、選択に応じて現在時刻（例えば、「年月日時分」）及び／又は指定時刻を記入面１に表示するが、表示を必要としない場合には、表示しないようにすることもできる。
４は操作部であり、画像の読取・印刷指示、現在時刻の印刷指示、各種の選択設定等の操作を行なう。５は印字出力部で、記入面読取部２により読取った画像と共に、操作部４により選択設定された文字の大きさとフォントで現在時刻を設定された位置に印字表示したコピー紙６を出力する。
【００１１】
操作部４による各種の選択設定等には、現在時刻の印字表示位置と文字の大きさ・フォントの選択設定、記入面１に現在時刻及び／又は指定時刻のいずれを表示するかの選択設定、指定時刻を選択した場合に、指定時刻又は指定時刻までの残り時間のいずれを表示するかの選択設定、現在時刻又は指定時刻を記入面１に表示するのか否かの選択設定、コピー紙６のサイズの選択設定等が含まれる。
【００１２】
図２はタイマー機能付ホワイトボードの機能的構成のブロック図である。
２１は、ＲＯＭ、ＲＡＭ等の記憶部を備え、ホワイトボードの全体を制御する全体制御部、２２は通信機能部、２３は図１の印字出力部５、２４は図１の操作部４、２５は表示面駆動部、２６は図１の記入面読取部２、２７は主電源部、２８は電波時計受信部である。
２９はタイマー制御部、３０はタイマー設定部、３１はタイマー表示部で、これらによりタイマーが構成されている。
【００１３】
３２は、電源部２７とは別のバックアップ用のタイマー用内蔵電源部で、主電源部２７が切断された後もタイマーの動作を継続する。３３は時刻出力部である。
本発明では、精度向上を計るため、現在時刻を電波時計より受信し、タイマーにこの現在時刻を設定するようにしている。
【００１４】
上記の構成において、タイマー設定部３０によりアラーム鳴動の指定時刻を設定しておけば、指定時刻になるとアラームが鳴動し、指定時刻になったことを知らせるが、指定時刻になる前にタイマー設定部３０によりアラームを解除（リセット）することもできる。
【００１５】
また上記の構成において、操作部４により、現在時刻の印字表示位置、文字の大きさとフォントを選択設定し、画像の印刷指示を行なえば、記入面読取部２により記入面１の画像を読取って、読取った画像とともに、前記選択設定された文字の大きさとフォントで現在時刻が選択設定された位置に印字表示されて、コピー紙６が印字出力部から出力する。
【００１６】
また操作部４により記入面１に現在時刻及び／又は指定時刻のいずれを表示するかを選択設定すれば、選択設定されたように現在時刻及び／又は指定時刻のいずれかを記入面１に表示することができる。
さらに上記において指定時刻の表示を選択した場合に、指定時刻又は指定時刻までの残り時間のいずれを表示するかを選択設定すれば、選択設定されたように指定時刻又は指定時刻までの残り時間のいずれかを記入面１に表示することができる。
【００１７】
さらにまた操作部４により現在時刻及び／又は指定時刻を記入面１に表示するのか否かを選択設定すれば、選択設定されたように現在時刻及び／又は指定時刻を記入面１に表示したり、表示しなかったりすることができる。
【００１８】
図３はタイマーの時刻を設定する場合の処理のフローチャートである。
ステップＳ３０で処理がスタートし、ステップＳ３１で電波時計機能付きか判断をし、電波時計機能付きであればステップＳ３２で電波時計の時刻を受信し、ステップＳ３３で受信可能かの判断をし、受信可能であればタイマーへ現時刻を設定し、ステップＳ３１とステップＳ３３で「Ｎ」であればステップＳ３４で現時刻を手動で設定し、いずれの場合もステップＳ３６で処理を終了する。
【００１９】
図４はアラーム鳴動時刻をタイマーに設定する場合の処理のフローチャートである。
ステップＳ４０で処理がスタートし、ステップＳ４１で指定時刻を設定し、スタートする。ステップＳ４２で指定時刻かを判断し、指定時刻であればステップＳ４３でアラーム鳴動かを判断し、そうであればステップＳ４４でアラームが鳴動する。
指定時刻でなければ、ステップＳ４５でアラーム解除か判断し、そうであればステップＳ４６でアラーム鳴動を解除（リセット）し、ステップＳ４７で処理を終了する。
【００２０】
【発明の効果】
本発明によれば、タイマー機能により指定時刻にアラームを鳴動させることができ、またコピー紙への現在時刻時の印字表示位置、文字の大きさ・フォントについて自由に選択設定でき、さらに現在時刻をホワイトボードに表示するか否かの選択設定ができ、タイマーの精度向上を図ることもできる。
【図面の簡単な説明】
【図１】タイマー機能付ホワイトボードの外観図。
【図２】タイマー機能付ホワイトボードの機能的構成のブロック図。
【図３】タイマーの時刻を設定する場合の処理のフローチャート。
【図４】タイマーにアラーム鳴動時刻を設定する場合の処理のフローチャート。
【符号の説明】
１  記入面
２  記入面読取部
３  時刻表示部
４  操作部
５  印字出力部
６  コピー紙
２１  全体制御部
２２  通信機能部
２３  印字出力部
２４  操作部
２５  表示面駆動部
２６  記入面読取部
２７  主電源部
２８  電波時計受信部
２９  タイマー制御部
３０  タイマー設定部
３１  タイマー表示部
３２  タイマー用内蔵電源部
３３  時刻出力部
【図１】
2005024425.tif 000003
【図２】
2005024425.tif 000004
【図３】
2005024425.tif 000005
【図４】
2005024425.tif 000006